(57)【特許請求の範囲】
【請求項１】
物品を識別するリーディング装置において、
内部にＲＦＩＤタグからＲＦ信号を送受信するアンテナが具備され、前後長手方向である水平方向と上下長手方向である高さ方向にそれぞれ一定の長さを有する平板状のＲＦＩＤタグ情報認識用プレートパネルと、
前記ＲＦＩＤタグ情報認識用プレートパネルの一側に結合されて前記ＲＦＩＤタグ情報認識用プレートパネルを支持するが、前記ＲＦＩＤタグ情報認識用プレートパネルから前記ＲＦＩＤタグ情報認識用プレートパネルの水平方向に一定の長さで延長形成される連結バーと、
手で把持可能に一定の長さの棒状に形成され、前記ＲＦＩＤタグ情報認識用プレートパネルから一定の距離離隔されて前記連結バーに結合されるグリップと、
前記アンテナのＲＦ送受信を制御する制御部と、
前記ＲＦＩＤタグ情報認識用プレートパネルの一側に配置され、光学的に認識されるイメージコードをリーディングするイメージコードリーダーとを含み、
前記ＲＦＩＤタグ情報認識用プレートパネルには、前記ＲＦＩＤタグ情報認識用プレートパネルの一面から他面に向かって一定のサイズで貫通されて前記イメージコードリーダーが収納される安着部が形成され、
前記イメージコードリーダーは、前記安着部の形状に対応する形状に形成され、前記イメージコードリーダーから前記水平方向の両端のうち、前方側一端に前記イメージコードを読み出すイメージ読み出し部が具備され、前記イメージ読み出し部が選択的に前記前方に向かって露出されるように前記高さ方向を軸にして一定の角度範囲内で回動する、リーディング装置。
【請求項２】
前記リーディング装置は、
前記イメージコードリーダーが回動して、前記イメージ読み出し部が前記ＲＦＩＤタグ情報認識用プレートパネルの平面上に露出されたか否かを感知するイメージリーダー感知部をさらに具備する、請求項1に記載のリーディング装置。
【請求項３】
前記制御部は、前記イメージリーダー感知部の感知結果に応じて前記イメージコードリーダーの動作を制御し、前記ＲＦＩＤタグ情報認識用プレートパネルのアンテナの動作を停止させる、請求項２に記載のリーディング装置。
【請求項４】
前記リーディング装置は、
一端は、前記連結バーの一位置に結合されて、前記連結バーの延長方向に一定の長さ延長され、他端は、前記グリップの延長方向に一定の角度で曲がるように形成される手首支持バーをさらに具備する、請求項１に記載のリーディング装置。
【請求項５】
前記連結バーは、前記手首支持バーが決着されて前記高さ方向を軸に回動が可能にするが、前記連結バーの延長方向に整列されるように、前記手首支持バーに復元力を加える支持バー結合部を具備し、
前記手首支持バーは、前記支持バー結合部に結合される連結部を具備する、請求項４に記載のリーディング装置。
【請求項６】
前記手首支持バーには、前記グリップを把持したユーザーの身体が接触される平面である支持面が具備され、
前記支持面は、一定の曲律を有するように形成される、請求項４に記載のリーディング装置。
【請求項７】
前記リーディング装置は、
前記手首支持バーの回動を感知し、前記手首支持バーの回動が感知されると、前記ＲＦＩＤタグ情報認識用プレートパネルの動作命令を前記制御部に提供する手首支持バー感知部をさらに具備する、請求項５に記載のリーディング装置。
【請求項８】
前記連結バーは、前記ＲＦＩＤタグ情報認識用プレートパネルの一側に結合されて前記ＲＦＩＤタグ情報認識用プレートパネルが前記水平方向を軸に回動されるようにするパネル回動部を具備する、請求項１に記載のリーディング装置。
【請求項９】
前記制御部は、前記ＲＦＩＤタグ情報認識用プレートパネルを介して受信されるＲＦＩＤタグの信号の強度を測定し、測定されたＲＦＩＤタグの信号の強度に基づいて、前記ＲＦＩＤタグ情報認識用プレートパネルの回動を制御する、請求項８に記載のリーディング装置。
【請求項１０】
前記ＲＦＩＤタグ情報認識用プレートパネルは、前記アンテナが実装された平板であるアンテナパネルと、前記アンテナパネルの外部を囲むが、前記アンテナパネルが前記水平方向のうち、前方に向かって開口された引入孔を介して引入、または引出されるように、前記アンテナパネルと結合されるハウジングと、を含む、請求項１に記載のリーディング装置。
【請求項１１】
前記アンテナは、互いに異なる特性を有する電波を放出する第１アンテナと第２アンテナを含み、
前記制御部は、前記第１アンテナと前記第２アンテナを択一的に駆動させるが、ＲＦＩＤタグから受信される信号感度に基づいて前記第１アンテナ及び前記第２アンテナのうちの少なくとも一つを駆動させる、請求項１に記載のリーディング装置。
【発明の詳細な説明】
【技術分野】
【０００１】
本発明は、物品を識別する統合リーディング装置に関し、より詳細には、物品に付着されたＲＦＩＤタグまたはイメージコードをリーディングして物品を識別する統合リーディング装置に関する。
【背景技術】
【０００２】
最近になってＲＦＩＤ（Ｒａｄｉｏ  Ｆｒｅｑｕｅｎｃｙ  Ｉｄｅｎｔｉｆｉｃａｔｉｏｎ）タグが常用化されながら、ＲＦＩＤタグを物品管理などの様々な目的に利用している。
【０００３】
これらのＲＦＩＤタグは、既存の物品を識別するための方法であるバーコード（Ｂａｒ  ｃｏｄｅ）、またはＱＲコード（登録商標）などのようなイメージコードに比べて速い認識率と、多くの量のデータを格納することができてイメージコードを取り替えている。
【０００４】
このように、ＲＦＩＤタグの使用が増えているが、コスト及び既存の設備を理由で相変らずイメージコードが使用されている。
【０００５】
従って、互いに異なる方式の識別方法を有した物品を管理するためには、各物品に適用された識別方法に応じてＲＦＩＤリーダーまたはイメージコードリーダーをそれぞれ保有しなければならない問題点がある。
【０００６】
関連して、先行技術文献である特許文献１では、ＲＦＩＤリーダーに内蔵され、タグと相互送受信する通信モジュールを介して受信されるタグ信号を処理してタグデータを獲得し、隣接したＲＦＩＤリーダー及びミドルウェアと通信を行うだけで、バーコードとＲＦＩＤタグの両方をリーディングすることができるリーダーを提供しないので、前述された問題点を解決していない。
【０００７】
従って、前述された問題点を解決するための技術が必要になった。
【０００８】
一方、前述した背景技術は、発明者が、本発明の導出のために保有していたとか、本発明の導出過程で習得した技術情報であって、必ずしも本発明の出願前に一般公衆に公開された公知技術とはいえない。
【先行技術文献】
【特許文献】
【０００９】
【特許文献１】韓国公開特許第１０−２０１０−００２３８３０号公報
【発明の概要】
【発明が解決しようとする課題】
【００１０】
本発明の一実施例は、ＲＦＩＤリーダーのサイズまたは重量を維持しながらも、ＲＦＩＤタグと共にイメージコードを認識することができるようにイメージコードリーダーを含む統合リーディング装置を提供することに目的がある。
【００１１】
また、本発明の一実施例は、統合リーディング装置の形状に応じて偏った重量によって手首に加えられる重量が分散され得るように、手首を支持する手首支持バーを提供することに目的がある。
【００１２】
そして、本発明の一実施例は、ＲＦＩＤタグから受信される信号に基づいてＲＦＩＤタグを認識するプレートパネルの方向を回動させることによって、認識率を高めることに目的がある。
【００１３】
また、本発明の一実施例は、ＲＦＩＤタグを認識するプレートが延長されるようにすることによって、ＲＦＩＤタグの認識率を高めることに目的がある。
【課題を解決するための手段】
【００１４】
前述した技術的課題を達成するための技術的手段として、本発明の第１側面によると、物品を識別する統合リーディング装置において、内部にＲＦＩＤタグからＲＦ信号を送受信するアンテナが具備され、前後長手方向である水平方向と上下長手方向である高さ方向にそれぞれ一定の長さを有する平板状のＲＦＩＤタグ情報認識用プレートパネルと、前記プレートパネルの一側に結合されて前記プレートパネルを支持するが、前記プレートパネルから前記プレートパネルの水平方向に一定の長さで延長形成される連結バーと、手で把持可能に一定の長さの棒状に形成され、前記プレートパネルから一定距離離隔されて前記連結バーに結合されるグリップと、前記アンテナのＲＦ送受信を制御する制御部と、を含むことができる。
【発明の効果】
【００１５】
前述した本発明の課題解決手段のうちのいずれか一つによれば、本発明の一実施例は、ＲＦＩＤリーダーのサイズまたは重量を維持しながらも、ＲＦＩＤタグと共にイメージコードを認識することができるようにイメージコードリーダーを含む統合リーディング装置を提供することができる。
【００１６】
また、本発明の課題解決手段のうちのいずれか一つによれば、統合リーディング装置の形状に応じて偏った重量によって手首に加わえられる重量が分散され得るように、手首を支持する手首支持バーを提供して、ユーザーの負傷を防止することができる。
【００１７】
そして、本発明の課題解決手段のうちのいずれか一つによれば、ＲＦＩＤタグから受信される信号に基づいてＲＦＩＤタグを認識するプレートパネルの方向を回動させることによって認識率を高めることができる。
【００１８】
また、本発明の課題解決手段のうちのいずれか一つによれば、ＲＦＩＤタグを認識するプレートパネルのアンテナが延長されて、ＲＦ信号が到達範囲を延長して、物体の認識範囲を適応的に拡張することができる。
【００１９】
そして、本発明の課題解決手段のうちのいずれか一つによれば、ＲＦＩＤタグをリーディングするアンテナを実装したパネルの形状が平板であることに基づいて物品の間に統合リーディング装置を挟みこんで物品の認識率を高めることができる。
【００２０】
また、本発明の課題解決手段のうちのいずれか一つによれば、平板状のパネルを利用して、物品の間に統合リーディング装置を挟みこんで物品を持ち上げることができ、容易に物品を確認して物品を識別することができる。
【００２１】
本発明から得られる効果は、以上で言及した効果などに制限されず、言及しなかったまた他の効果などは、以下の記載から、本発明が属する技術分野における通常の知識を有する者に明確に理解され得るだろう。
【図面の簡単な説明】
【００２２】
【図１】本発明の一実施例による統合リーディング装置を示した正面図である。
【図２】本発明の一実施例による統合リーディング装置の各構成部を説明するための例示図である。
【図３】本発明の一実施例による統合リーディング装置の各構成部を説明するための例示図である。
【図４】本発明の一実施例による統合リーディング装置の一使用状態を示した例示図である。
【図５】本発明の一実施例による統合リーディング装置の一使用状態を示した例示図である。
【発明を実施するための形態】
【００２３】
以下では、添付した図面を参照して、本発明が属する技術分野における通常の知識を有する者が容易に実施できるように、本発明の実施例を詳細に説明する。しかし、本発明は、様々な異なる形態で具現されることができ、ここで説明する実施例に限定されない。そして、図面において本発明を明確に説明するために説明と関係ない部分は省略し、明細書の全体を通じて同様の部分については、同様の図面符号を付した。
【００２４】
明細書の全体において、ある部分が他の部分と“連結”されているというとき、これは、“直接的に連結”されている場合だけではなく、その中間に他の素子を挟んで“電気的に連結”されている場合も含む。また、ある部分がある構成要素を“含む”とするとき、これは、特に反対される記載がない限り、他の構成要素を除外するのではなく、他の構成要素をさらに含むことができることを意味する。
【００２５】
以下、添付された図面を参考して本発明を詳細に説明する。但し、これを説明するのに先立って、以下で使用される用語の意味を先に定義する。
【００２６】
以下で、‘イメージコード’は、特定の情報を示すパターンで構成されるコードであって、例えば、バーコード、ＱＲコード（登録商標）などが含まれることができる。
【００２７】
これらのイメージコードは、光学的に認識されることができ、イメージコードに対応される情報をリーディングするリーダーを‘イメージコードリーダー’という。
【００２８】
図１は、本発明の一実施例による統合リーディング装置１０を示した斜視図であって、これを参照して、統合リーディング装置１０を説明する。
【００２９】
本発明の一実施例による統合リーディング装置１０には、ＲＦＩＤタグをリーディングすることができるプレートパネル１１０と、プレートパネルと連結されて一定の長さに延長形成される連結バー１２０と、ユーザーが手で把持できるグリップ１３０と、そして、プレートパネルの動作を制御する制御部（図示せず）と、が具備され得る。
【００３０】
追加的に、本発明の一実施例による統合リーディング装置１０には、プレートパネル１１０の一領域に配置されてイメージコードをリーディングすることができるイメージコードリーダー１４０がさらに具備され得る。
【００３１】
そして、追加的に、本発明の一実施例による統合リーディング装置１０には、グリップ１３０が結合された連結バー１２０の一端に結合され、連結バー１２０の延長方向に一定の長さ延長されるが、一位置で一定の角度で曲がるように形成される手首支持バー１５０がさらに具備され得る。
【００３２】
まず、本発明の一実施例による統合リーディング装置１０に具備されたプレートパネル１１０は、前後長手方向である水平方向と上下長手方向である高さ方向にそれぞれ一定の長さを有する有限平面の平板状であり得る。
【００３３】
このような本発明の一実施例によるプレートパネル１１０は、実施例によって、ＲＦＩＤタグ（図示せず）側と相互通信で信号を認識するアンテナ（図示せず）が部分または全部にわたってパターンを有して実装される、または、ＲＦＩＤタグ情報認識用プレートパネル１１０の全面積を満たす形態で実装され得る。
【００３４】
または、本発明の一実施例によるプレートパネル１１０は、アンテナが実装された平板であるアンテナパネル（図示せず）とアンテナパネル（図示せず）の外部を囲むが、アンテナパネル（図示せず）が水平方向のうち、前方に向かって開口された引入孔を介して引入、または引出されるようにアンテナパネル（図示せず）と結合されるハウジングで構成され得る。
【００３５】
このとき、アンテナは、互いに異なる電波特性を有する第１アンテナと第２アンテナで構成されることができ、アンテナの最大実装面積は、実施例によってプレートパネル１１０またはアンテナパネル（図示せず）の面積に比例して決定され得る。
【００３６】
そして、本発明の一実施例による統合リーディング装置１０に具備された連結バー１２０は、プレートパネル１１０の一側面に結合されてプレートパネル１１０を支持しており、水平方向に一定の長さで延長形成される棒状であり得る。
【００３７】
このような連結バー１２０は、プレートパネル１１０とグリップ１３０を一定の間隔で離隔されるようにすることによって、プレートパネル１１０とグリップ１３０との間に一定の空間が形成されるようにして、グリップ１３０を把持するユーザーの指を入れることができるようにすることができる。
【００３８】
そして、本発明の一実施例による統合リーディング装置１０に具備されたグリップ１３０は、手で把持可能に一定の長さの棒状で形成され、プレートパネル１１０から一定の距離離隔されて連結バー１２０に結合され得る。
【００３９】
また、本発明の一実施例による統合リーディング装置１０に追加的に具備され得るイメージコードリーダー１４０は、プレートパネル１１０の一領域に配置されるが、プレートパネル１１０と同一の幅に対応して、回動しない状態で、全体的に１つのプレートパネル１１０を協力して構成し、イメージコードリーダー１４０に加えられる外力によっていずれか一つの方向に回動され、プレートパネル１１０の外部に露出され得る。
【００４０】
そして、本発明の一実施例による統合リーディング装置１０には、追加的に手首支持バー１５０が具備されることができ、手首支持バー１５０は、グリップ１３０が結合された連結バー１２０の一端に結合され、連結バー１２０の延長方向に一定の長さ延長されるが、一位置でグリップ１３０の延長方向に一定の角度で曲がるように形成され得る。
【００４１】
一方、本発明の一実施例による統合リーディング装置１０には、実施例によって、ユーザー端末（図示せず）またはサーバー（図示せず）のうちの少なくともいずれか一つと、ネットワークＮを介して通信できる通信部（図示せず）が具備され得る。
【００４２】
これらの通信部（図示せず）は、ユーザー端末（図示せず）と統合リーディング装置１０がペアリングされるようにすることができ、ユーザー端末（図示せず）によって制御されるように設定情報を受信できる。
【００４３】
また、通信部（図示せず）は、統合リーディング装置１０を介してリーディングされたタグ情報をユーザー端末（図示せず）またはサーバー（図示せず）に転送し、特定のタグ情報を受信することができる。
【００４４】
このとき、ネットワークＮは、ローカル・エリア・ネットワーク（Ｌｏｃａｌ  Ａｒｅａ  Ｎｅｔｗｏｒｋ；ＬＡＮ）、ワイド・エリア・ネットワーク（Ｗｉｄｅ  Ａｒｅａ  Ｎｅｔｗｏｒｋ；ＷＡＮ）、付加価置通信網（Ｖａｌｕｅ  Ａｄｄｅｄ  Ｎｅｔｗｏｒｋ；ＶＡＮ）、パーソナル・エリア・ネットワーク（Ｐｅｒｓｏｎａｌ  Ａｒｅａ  Ｎｅｔｗｏｒｋ；ＰＡＮ）、移動通信網（ｍｏｂｉｌｅ  ｒａｄｉｏ  ｃｏｍｍｕｎｉｃａｔｉｏｎ  ｎｅｔｗｏｒｋ）、ワイブロ（Ｗｉｒｅｌｅｓｓ  Ｂｒｏａｄｂａｎｄ  Ｉｎｔｅｒｎｅｔ）、モバイル ワイマックス（Ｍｏｂｉｌｅ  ＷｉＭＡＸ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）または衛星通信網などのようなすべての種類の有／無線ネットワークで具現され得る。
【００４５】
そして、ユーザー端末（図示せず）は、ネットワークＮを介して遠隔地のサーバーに接続するとか、他の端末及びサーバーと連結可能なコンピューターや携帯用端末機、テレビ、ウェアラブルデバイス（Ｗｅａｒａｂｌｅ  Ｄｅｖｉｃｅ）などで具現され得る。ここで、コンピューターは、例えば、ウェブブラウザ（ＷＥＢ  Ｂｒｏｗｓｅｒ）が搭載されたノートパソコン、デスクトップ（ｄｅｓｋｔｏｐ）、ラップトップ（ｌａｐｔｏｐ）などを含み、携帯用端末機は、例えば、携帯性と移動性が保障される無線通信装置であって、ＰＣＳ（Ｐｅｒｓｏｎａｌ  Ｃｏｍｍｕｎｉｃａｔｉｏｎ  Ｓｙｓｔｅｍ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）、スマートフォン（Ｓｍａｒｔ  Ｐｈｏｎｅ）、モバイルＷｉＭＡＸ（Ｍｏｂｉｌｅ  Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）などのようなすべての種類のハンドヘルド（Ｈａｎｄｈｅｌｄ）ベースの無線通信装置を含むことができる。また、テレビは、ＩＰＴＶ（Ｉｎｔｅｒｎｅｔ  Ｐｒｏｔｏｃｏｌ  Ｔｅｌｅｖｉｓｉｏｎ）、インターネットＴＶ（Ｉｎｔｅｒｎｅｔ  Ｔｅｌｅｖｉｓｉｏｎ）、地上波ＴＶ、ケーブルＴＶなどを含むことができる。ひいては、ウェアラブルデバイスは、例えば、時計、メガネ、アクセサリー、衣服、靴など人体に直接着用可能なタイプの情報処理装置であって、直接または他の情報処理装置を介してネットワークを経由して遠隔地のサーバーに接続するとか、他の端末と連結され得る。
【００４６】
以下では、統合リーディング装置１０の一実施例によって示した例示図である図２〜図３を参照して、各構成をより詳細に説明する。
【００４７】
まず、本発明の一実施例による統合リーディング装置１０のプレートパネル１１０は、前後長手方向である水平方向と上下長手方向である高さ方向にそれぞれ一定の長さを有するが、左右長手方向である幅方向に一定の厚さを有する平板状であり得る。
【００４８】
これらのプレートパネル１１０は、平板の認識面１１１と幅方向の厚さ面１１２で構成されることができ、認識面１１１と厚さ面１１２のそれぞれは、プレートパネル１１０の内部に実装されたアンテナ（図示せず）から放出されるＲＦ信号を透過することができる材質で構成され得るので、プレートパネル１１０に実装されたアンテナ（図示せず）の種類に応じてＲＦ信号が認識面１１１または厚さ面１１２のうちの少なくとも一つを介して放出され得る。
【００４９】
そして、プレートパネル１１０は、実施例によってプレートパネル１１０の一領域に一定のサイズで貫通された領域である安着部１１３が形成され得る。形成された安着部１１３には、後述するイメージコードリーダー１４０が配置され、プレートパネル１１０に結合され得る。
【００５０】
また、実施例によってプレートパネル１１０は、連結バー１２０の延長方向を軸に回動されるようにプレートパネル１１０の一側面が連結バー１２０と結合され得る。
【００５１】
これにより、プレートパネル１１０は、水平方向を軸にして回動され得る。
【００５２】
そして、他の実施例によってプレートパネル１１０は、ＲＦＩＤタグにＲＦ信号を送受信するアンテナが実装された平板であるアンテナパネル（図示せず）と、アンテナパネル（図示せず）の外部を囲むが、アンテナパネル（図示せず）が水平方向のうち、前方の厚さ面１１２ａに開口された引入孔（図示せず）を介して引入、または引出されるように、アンテナパネルと結合されるハウジング（図示せず）で構成され得る。
【００５３】
このとき、プレートパネル１１０のハウジング（図示せず）の内部に配置されたアンテナパネル（図示せず）は、選択的に、ハウジング（図示せず）の前方に引出されることによって、プレートパネル１１０の長さが延長され得る。
【００５４】
例えば、アンテナパネル（図示せず）は、ハウジング（図示せず）の厚さ面１１２のうち、前方に位置した厚さ面１１２ａに通孔形成された引入孔（図示せず）を介してプレートパネル１１０の内部に引入されるとか、前方に向かって露出され得る。
【００５５】
一方、本発明の一実施例による統合リーディング装置１０の連結バー１２０は、プレートパネル１１０の一側面に結合されて水平方向に一定の長さで延長形成されることができ、連結バー１２０の一位置には、グリップ支持バー１５０が着脱され得るように支持バー結合部１２１が具備され得る。
【００５６】
例えば、支持バー結合部１２１は、連結バー１２０に結合されたグリップ１３０の中心軸と連結バー１２０が交差する位置に具備され得る、または連結バー１２０の一端に具備され得る。
【００５７】
そして、支持バー結合部１２１は、手首支持バー１５０が高さ方向を軸に回動が可能に手首支持バー１５０と結合するが、連結バー１２０の延長方向に手首支持バー１５０が整列されるように手首支持バー１５０に復元力を加えることができる。
【００５８】
このために、支持バー結合部１２１には、復元力を発生させる復元部材（図示せず）、例えば、渦巻ばねなどのような弾性体が具備され得る。
【００５９】
また、連結バー１２０には、プレートパネル１１０またはイメージコードリーダー１４０の動作を制御することができる制御部（図示せず）が具備され得る。
【００６０】
このとき、制御部（図示せず）は、ユーザーの操作に応じた制御命令を受信することができ、制御命令に応じて統合リーディング装置１０の各構成の動作を制御することができ、プレートパネル１１０またはイメージコードリーダー１４０からリーディングされた情報を処理することができる。
【００６１】
例えば、制御部（図示せず）は、プレートパネル１１０またはイメージコードリーダー１４０からリーディングされた物品の識別情報を統合リーディング装置１０またはユーザー端末（図示せず）に格納されるようにすることができ、リーディングされた物品の識別情報が新しい識別情報であるかを既に格納された識別情報と比較することができる。
【００６２】
このとき、制御部（図示せず）は、ユーザーによって設定された条件に基づいて物品の識別情報をフィルタリングして格納することができる。
【００６３】
また、制御部（図示せず）は、プレートパネル１１０にＲＦＩＤタグから受信される信号の感度を認知することができ、信号感度に基づいてプレートパネル１１０が回動されるように制御することができるとか、プレートパネル１１０に実装された互いに異なる電波特性を有する第１アンテナまたは第２アンテナを選択的に駆動させることができる。
【００６４】
そして、連結バー１２０には、プレートパネル１１０の安着部１１３に結合されたイメージコードリーダー１４０の回動を感知することができるイメージリーダー感知部（図示せず）が具備され得る。
【００６５】
このとき、イメージリーダー感知部（図示せず）は、制御部（図示せず）と連結されることができ、イメージコードリーダー１４０の回動を感知すると、イメージ読み出し部１４１が制御部（図示せず）に初期化を要請する信号を提供することができる。
【００６６】
そして、実施例によって連結バー１２０には、プレートパネル１１０の一側面に結合されて連結バー１２０の延長方向を軸にプレートパネル１１０を回動させるパネル回動部（図示せず）がさらに具備され得る。
【００６７】
このとき、パネル回動部（図示せず）には、プレートパネル１１０を回動させるために駆動モーターが具備されることができ、制御部（図示せず）から印加される信号に応じて駆動モーターが動作してプレートパネル１１０が回動され得る。
【００６８】
一方、統合リーディング装置１０のグリップ１３０は、手で把持可能に一定の長さの棒状で形成され、プレートパネル１１０から一定の距離離隔されて連結バー１２０に結合され得る。
【００６９】
そして、グリップ１３０には、統合リーディング装置１０に電源を提供するバッテリーがグリップ１３０の形状と類似した形状で形成されて実装されるとか、一つ以上の標準規格のバッテリーが実装され得る。
【００７０】
これらのグリップ１３０には、手の平が密着される把持面１３２が具備されることができ、スリップ防止機能を持つことができる。
【００７１】
同時に、グリップ１３０を把持した状態を基準で連結バー１２０によってプレートパネル１１０とグリップ１３０に形成される一定の空間に指が挟まれて堅固な把持状態を維持することができ、グリップ１３０は、手で握ったときに把持力が持続的に維持され得る厚さｔで形成され得る。
【００７２】
このとき、グリップ１３０の厚さは、実施例によって、銃砲類に分類される拳銃のグリップの厚さを基準に決定され得る。このように拳銃のグリップの厚さと類似の厚さを持つことによって十分な把持力を維持することができる。
【００７３】
そして、グリップ１３０には、統合リーディング装置１０を動作させるためのトリガー１３１が具備されることができ、統合リーディング装置１０に電源を印加することができる電源ボタン１３３が具備され得る。
【００７４】
一方、本発明の一実施例による統合リーディング装置１０のイメージコードリーダー１４０は、プレートパネル１１０に具備される安着部１１３の形状と同一の形状を有することができ、プレートパネル１１０の厚さと同一または類似の厚さを有するように形成され得る。
【００７５】
そして、イメージコードリーダー１４０には、光学的にイメージコードをリーディングすることができるイメージ読み出し部１４１がイメージコードリーダー１４０の前方に具備され得る。
【００７６】
これらのイメージコードリーダー１４０は、安着部１１３の内部に高さ方向に具備されるリーダー結合軸１１４に結合されて安着部１１３で回動され得る。
【００７７】
そして、プレートパネル１１０の内部に位置するイメージ読み出し部１４１は、イメージコードリーダー１４０に加えられる外力によってリーダー結合軸１１４を中心に回動されることができ、これにイメージ読み出し部１４１がプレートパネル１１０の認識面１１１の外に露出され得る。
【００７８】
一方、統合リーディング装置１０の手首支持バー１５０は、連結バー１２０の一位置に結合されることができ、連結バー１２０の延長方向に一定の長さ延長されるが、一位置でグリップ１３０の延長方向に一定の角度で曲がるように形成され得る。
【００７９】
そして、手首支持バー１５０は、連結バー１２０の支持バー結合部１２１に結合される連結部１５１を具備することができる。
【００８０】
このとき、実施例によって連結部１５１は、十字状の雄柄が支持バー結合部１２１の雌柄に挿入されて固定され得る。
【００８１】
これにより、連結部１５１は、手首支持バー１５０の動きに応じて一方向に回動されることができ、支持バー結合部１２１は、連結部１５１によって同一方向に回動され得る。そして、連結部１５１は、支持バー結合部１２１によって他の方向に発生される復元力によって回動されることにより、手首支持バー１５０を元位置されるようにできる。
【００８２】
このとき、手首支持バー１５０が支持バー結合部１２１の復元力によって元位置される力でユーザーの手首を支持することによって、プレートパネル１１０に偏った重量によって統合リーディング装置１０を把持するときに手首に発生される負荷を減少させることができる。
【００８３】
そして、手首支持バー１５０には、グリップ１３０を把持したユーザーの身体が接触される平面である支持面１５２が具備されることができ、これらの支持面１５２は、手首支持バー１５０の中心軸方向に一定の曲律を有するように形成され得る。
【００８４】
また、実施例によって統合リーディング装置１０には、手首支持バー感知部（図示せず）が具備され得る。
【００８５】
手首支持バー感知部（図示せず）は、手首支持バー１５０の回動を感知し、手首支持バー１５０の回動が感知されると、プレートパネル１１０の動作信号を制御部（図示せず）に提供することができる。
【００８６】
すなわち、手首支持バー感知部（図示せず）は、グリップ１３０のトリガー１３１と同一に手首支持バー１５０の回動するか否かに応じて統合リーディング装置１０を動作させて、ＲＦＩＤタグまたはイメージコードをリーディングするように動作させることができる。
【００８７】
以下では、本発明の一実施例による統合リーディング装置１０の使用状態に応じて説明する。
【００８８】
図４は、一実施例による統合リーディング装置１０のイメージコードリーダー１４０の使用状態を示した例示図である。
【００８９】
これを参照すれば、第１状態４０１において、統合リーディング装置１０のプレートパネル１１０の一領域に配置されて一つの平板を協力して構成するイメージコードリーダー１４０は、イメージコードリーダー１４０の一側面に加えられる外力４０２によってプレートパネル１１０の高さ方向を軸に一方向に回動され得る。
【００９０】
第２状態４０３において、イメージコードリーダー１４０が外力４０２によって回動されることにより、イメージコードリーダー１４０に具備されたイメージ読み出し部１４１がプレートパネル１１０の認識面１１１の外に露出され得る。
【００９１】
そして、ユーザーの入力によってイメージ読み出し部１４１が動作されると、統合リーディング装置１０は、イメージ読み出し部１４１を介してイメージコードをリーディングすることができる。
【００９２】
一つの実施例によって、統合リーディング装置１０は、イメージコードリーダー１４０の回動を感知することができ、イメージコードリーダー１４０が回動されると、プレートパネル１１０に実装されたアンテナ（図示せず）を非活性化させることができる。
【００９３】
そして、統合リーディング装置１０がグリップ１３０のトリガー１３１を介してユーザーから動作命令を受けると、イメージ読み出し部１４１を動作させてイメージコードを光学的にリーディングすることができる。
【００９４】
以後、イメージコードリーダー１４０が回動されてプレートパネル１１０の水平方向と同一方向に整列されて一つの平板を構成すると、統合リーディング装置１０は、非活性化されていたプレートパネル１１０に実装されたアンテナ（図示せず）を活性化させることができる。
【００９５】
他の実施例によって、統合リーディング装置１０は、イメージコードリーダー１４０が回動するか否かを感知すると、イメージ読み出し部１４１もプレートパネル１１０のアンテナ（図示せず）と共に同時に活性させることができる。
【００９６】
一方、図５は、一実施例による統合リーディング装置１０の手首支持バー１５０の使用状態を示した例示図である。
【００９７】
これを参照すれば、第１状態５００において、統合リーディング装置１０の手首支持バー１５０は、支持バー結合部１２１によって連結バー１２０の延長方向と同一方向に整列されることができ、ユーザーがグリップ１３０を把持することによって手首支持バー１５０の支持面１５２は、ユーザーの手首に接触され得る。
【００９８】
そして、ユーザーが統合リーディング装置１０を持ち上げると、統合リーディング装置１０のプレートパネル１１０の重量によって統合リーディング装置１０が重力方向５０１に傾くことができる。
【００９９】
第２状態５０２において、統合リーディング装置１０の手首支持バー１５０は、ユーザーの手首によって位置が固定されることに応じて、連結部１５１を基準に回動され得る。
【０１００】
そして、連結部１５１と結合された支持バー結合部１２１に具備された弾性部材によって復元力５０３が発生されることにより、統合リーディング装置１０は、元位置に移動５０４され、手首支持バー１５０と同一線上に整列され得る。
【０１０１】
第３状態５０５において、統合リーディング装置１０の手首支持バー１５０は、第１状態５００のように、元位置されるようにできる。
【０１０２】
このとき、統合リーディング装置１０は、実施例によって手首支持バー１５０の回動を感知することができ、手首支持バー１５０の回動をプレートパネル１１０またはイメージコードリーダー１４０の動作命令として認識して、ＲＦＩＤタグまたはイメージコードをリーディングすることができる。
【０１０３】
これを介して、ユーザーは、別の入力行為なしに統合リーディング装置１０を把持することだけで統合リーディング装置１０を動作させることができ、便宜性が増加する。
【０１０４】
一方、本発明の一実施例による統合リーディング装置１０は、実施例によってプレートパネル１１０を適応的に回動させることができる。
【０１０５】
統合リーディング装置１０は、ＲＦＩＤタグをリーディングするために、プレートパネル１１０に実装されたアンテナ（図示せず）を介してＲＦ信号を放出することができ、ＲＦＩＤタグから応答信号を受信することができ、応答信号の強度を感知することができる。
【０１０６】
そして、統合リーディング装置１０は、応答信号の強度に基づいてプレートパネル１１０を水平方向を軸にして回動させることができる。
【０１０７】
例えば、統合リーディング装置１０は、一位置のプレートパネル１１０における応答信号の強度を感知することができ、応答信号が弱いと、統合リーディング装置１０は、一定の速度でプレートパネル１１０を一方向に回動させることができる。
【０１０８】
そして、統合リーディング装置１０は、プレートパネル１１０が一方向に回動されることによって受信される応答信号の強度を感知することができ、応答信号の強度が最も強い位置でプレートパネル１１０の回動を中止することができる。
【０１０９】
このようにすることによって、指向性アンテナが実装された場合、統合リーディング装置１０は、プレートパネル１１０を回動させることにより、アンテナ方向を最適の方向に設定して、ＲＦＩＤタグの認識率を高めることができる。
【０１１０】
一方、本発明の一実施例による統合リーディング装置１０は、実施例によってプレートパネル１１０の長さが可変され得る。
【０１１１】
統合リーディング装置１０のプレートパネル１１０は、ＲＦＩＤタグにＲＦ信号を送受信するアンテナが実装された平板であるアンテナパネル（図示せず）と、アンテナパネルの外部を囲むが、アンテナパネル（図示せず）が水平方向のうち、前方に向かって開口された引入孔を介して引入、または引出されるように、アンテナパネル（図示せず）と結合されるハウジング（図示せず）と、から構成され得る。
【０１１２】
そして、アンテナパネル（図示せず）は、プレートパネル１１１のハウジング（図示せず）の前方の厚さ面１１２ａに形成された通孔である引入孔を介して引入され、引入されたアンテナパネル（図示せず）が露出され得る。
【０１１３】
このとき、一つの実施例として、プレートパネル１１０のハウジング（図示せず）には、引入されたアンテナパネル（図示せず）を露出させることができるように弾性体が具備されることができ、プレートパネル１１０に引入されたアンテナパネル（図示せず）が固定され得るように掛け金（図示せず）が具備され得る。
【０１１４】
他の実施例として、プレートパネル１１０のハウジング（図示せず）には、アンテナパネル（図示せず）の位置を移動させる電子的駆動装置（図示せず）が具備され得る。
【０１１５】
そして、統合リーディング装置１０には、アンテナパネル（図示せず）が露出するか否かを制御するための延長ボタン（図示せず）が具備され得る。または、これと異なり、制御部（図示せず）によってアンテナパネル（図示せず）が露出するか否かが制御され得る。
【０１１６】
例えば、統合リーディング装置１０には、アンテナパネル（図示せず）がプレートパネル１１０のハウジング（図示せず）から露出されるようにする掛け金（図示せず）を操作する掛け金操作ボタン（図示せず）が具備されることができ、掛け金操作ボタン（図示せず）によってアンテナパネル（図示せず）の固定が外れると、プレートパネル１１０のハウジング（図示せず）に具備された弾性体によってアンテナパネル（図示せず）が前方に露出されるようにすることができる。
【０１１７】
または、例えば、制御部（図示せず）がＲＦＩＤタグの応答信号の強度に基づいて、応答信号の強度が弱いと、アンテナパネル（図示せず）が露出されるように制御することができる。
【０１１８】
一方、本発明の一実施例による統合リーディング装置１０は、実施例によってプレートパネル１１０には、互いに異なる電波特性を有する少なくとも一つのアンテナが実装され得る。
【０１１９】
そして、統合リーディング装置１０は、ＲＦＩＤタグから受信される信号感度に基づいてプレートパネル１１０に実装された少なくとも一つのアンテナを選択的に駆動させることができる。
【０１２０】
例えば、統合リーディング装置１０は、垂直方向にＲＦ信号を放射する第１アンテナと、水平方向にＲＦ信号を放射する第２アンテナと、を具備することができ、各アンテナを駆動させてＲＦＩＤタグから受信される信号感度に応じて、最適の信号感度を有するアンテナを決定することができ、決定されたアンテナを駆動させることができる。
【０１２１】
前述した本発明の説明は、例示のためのものであり、本発明が属する技術分野における通常の知識を有する者は、本発明の技術的思想や必須の特徴を変更せずに、他の具体的な形態で容易に変形が可能であるということを理解することができるだろう。従って、以上で記述した実施例などは、すべての面で例示的なものであり限定的ではないものと理解されるべきである。例えば、単一型で説明されている各構成要素は、分散されて実施されることもでき、同様に、分散されたものと説明されている構成要素なども結合された形態で実施され得る。
【０１２２】
本発明の範囲は、前記の詳細な説明よりも後述する特許請求の範囲によって示され、特許請求の範囲の意味及び範囲そしてその均等概念から導出されるすべての変更または変形された形態が本発明の範囲に含まれるものと解釈されるべきである。
【符号の説明】
【０１２３】
１０                統合リーディング装置
１１０                プレートパネル
１１１                認識面
１１２、１１２ａ      厚さ面
１１３                安着部
１１４                リーダー結合軸
１２０                連結バー
１２１                支持バー結合部
１３０                グリップ
１３１                トリガー
１３２                把持面
１３３                電源ボタン
１４０                イメージコードリーダー
１４１                イメージ読み出し部
１５０                手首支持バー
１５１                連結部
１５２                接触面
【図１】
0006519608.tif 000002
【図２】
0006519608.tif 000003
【図３】
0006519608.tif 000004
【図４】
0006519608.tif 000005
【図５】
0006519608.tif 000006